(57)【特許請求の範囲】
【請求項１】
往復動する第１の刃と、同じく往復動する第２の刃とを備えるとともに、枢軸を中心に揺動駆動される駆動子を備えて、第１の刃における可動側の刃が駆動子に取り付けられ、第２の刃における可動側の刃が副駆動子を介して上記駆動子に連結されている往復式電気かみそりにおいて、上記第２の刃はフロート自在とされており、一端が第２の刃における可動側の刃に連結されている上記副駆動子は、第２の刃のフロート方向においてスライド自在であり且つ第２の刃の駆動方向において拘束された状態で駆動子に連結されて駆動子と副駆動子とが同じ揺動を行うものとなっていることを特徴とする往復式電気かみそり。
【請求項２】
第１の刃と第２の刃とは往復動方向において湾曲していることを特徴とする請求項１記載の往復式電気かみそり。
【請求項３】
副駆動子は、第２の刃における固定側の刃もしくはこの刃が固定された基台との間で可動範囲が規制されていることを特徴とする請求項１または２記載の往復式電気かみそり。
【請求項４】
副駆動子は、初期位置復帰用の弾性体で付勢されていることを特徴とする請求項１または３記載の往復式電気かみそり。
【請求項５】
弾性体は、第２の刃における固定側の刃が固定された基台と副駆動子とを連結する可撓性部材であることを特徴とする請求項４記載の往復式電気かみそり。
【請求項６】
弾性体は、第２の刃における固定側の刃が固定された基台に一体に形成されたものであることを特徴とする請求項４または５記載の往復式電気かみそり。
【請求項７】
枢軸を中心に揺動駆動される駆動子は、この駆動子に対して上下動自在な連結駆動子を介して第１の刃における可動側の刃が取り付けられていることを特徴とする請求項１記載の往復式電気かみそり。
【発明の詳細な説明】
【０００１】
【産業上の利用分野】
本発明は往復式電気かみそり、殊に刃がその往復動方向において湾曲したものとなっている往復式電気かみそりに関するものである。
【０００２】
【従来の技術】
往復式電気かみそりでは、通常外刃は内刃の往復動方向と直交する方向においてのみ湾曲している断面アーチ形で内刃の往復動方向については湾曲していない形状となっているが、この場合、顎下や腋のような窪んだところの毛を剃る場合、その外刃が肌に密着せず、従って毛の切断効率が大きく低下してしまう。
【０００３】
このために、外刃を内刃の往復動方向においても湾曲させるとともに、この外刃の内面に添うように内刃を往復動させる往復式電気かみそりが提供されており、また特開平６−１４２３４５号公報にあっては、上記湾曲を有する外刃と内刃とからなる主刃の両サイドに、長毛のカットに適したトリマー刃をやはり往復動方向において湾曲させて配置したものが示されている。
【０００４】
【発明が解決しようとする課題】
ところで、上記のような電気かみそりにおいて、その内刃やトリマー刃における可動刃を往復動させるにあたっては、円弧を描くように駆動しなくてはならない。一方、近年の電気かみそりでは、各刃を上下動自在で且つ上方に向けてばね付勢されたものとし、肌に押し当てた時に刃がばねに抗して沈む構成とすることで、つまりフロート自在としておくことで、肌当たりを柔らかくすることが求められている。
【０００５】
ここにおいて、主刃と両サイドに位置する二つのトリマー刃のすべてをフロート自在とする場合、主刃については駆動子としてその中間部が軸支されて揺動自在となっているものを用いて、円弧を描く運動を行う駆動子先端に内刃を連結することで、フロート機能を損なうことなく円滑な駆動を行わせることができるが、トリマー刃については従来の駆動構造であると、次の問題を有している。
【０００６】
すなわち、従来のトリマー刃の駆動構造は、固定刃及び可動刃を支持する基台に、一端が可動刃に連結されるトリマー駆動子を軸によって枢着し、往復動を行う駆動子と上記トリマー駆動子とを係合させて、駆動子の往復動でトリマー駆動子を上記軸を中心に揺動させて可動刃を駆動するものとなっていた。
このために、トリマー刃をフロート自在とした場合、トリマー駆動子も同時に上下動するとともに、この時、トリマー駆動子における駆動子の係合位置が変化してしまう。この変化は、トリマー駆動子の枢支軸から係合点までの距離の変化となるために、そして枢支軸から係合点までの距離がもともと小さいものであるために、トリマー刃の沈み量に応じて、トリマー刃の可動刃の往復動の振幅が大きく変化してしまうことになる。
【０００７】
上記公報に示されたものでは、トリマー刃を定常状態と沈んだ状態とに切換自在とするとともに、揺動を行う駆動子の揺動ストロークが異なるところに２つの駆動突起を設け、トリマー刃が定常状態にある時と大きく沈んだ時とではトリマー駆動子に係合して駆動子の動きをトリマー駆動子に伝える駆動突起が入れ替わるようにすることで、振幅変化が小さくなるようにしているが、このような構造は、フロート自在なもの、つまりトリマー刃の沈み込み量が連続的な値をとるものについては適用することができない。
【０００８】
トリマー駆動子が往復直線運動を行うようにしたものでは、上記問題を招くことはないが、このようなトリマー駆動子で往復動方向において湾曲した刃を駆動すると、トリマー駆動子にねじれが発生し、スムーズな駆動ができない。
本発明はこのような点に鑑み為されたものであり、その目的とするところは、フロートに伴う刃の振幅変化が殆どなく、しかもスムーズな駆動が可能となっている往復式電気かみそりを提供するにある。
【０００９】
【課題を解決するための手段】
しかして本発明は、往復動する第１の刃と、同じく往復動する第２の刃とを備えるとともに、枢軸を中心に揺動駆動される駆動子を備えて、第１の刃における可動側の刃が駆動子に取り付けられ、第２の刃における可動側の刃が副駆動子を介して上記駆動子に連結されている往復式電気かみそりにおいて、上記第２の刃はフロート自在とされており、一端が第２の刃における可動側の刃に連結されている上記副駆動子は、第２の刃のフロート方向においてスライド自在であり且つ第２の刃の駆動方向において拘束された状態で駆動子に連結されて駆動子と副駆動子とが同じ揺動を行うものとなっていることに特徴を有している。第１の刃と第２の刃とが往復動方向において湾曲しているものであってもよいのはもちろんである。
【００１０】
上記副駆動子は、第２の刃における固定側の刃もしくはこの刃が固定された基台との間で可動範囲が規制されていたり、初期位置復帰用の弾性体で付勢されていたりすることが好ましく、また弾性体には、第２の刃における固定側の刃が固定された基台と副駆動子とを連結する可撓性部材であるものを好適に使用することができる。弾性体を、第２の刃における固定側の刃が固定された基台に一体に形成したものとすることも好ましい。
【００１１】
さらに、枢軸を中心に揺動駆動される駆動子は、この駆動子に対して上下動自在な連結駆動子を介して第１の刃における可動側の刃が取り付けられているものを好適に用いることができる。
【００１２】
【作用】
本発明によれば、駆動子の動きと同じ動きを行う副駆動子によって第２の刃の可動側の刃を駆動するために、そして副駆動子と駆動子とが第２の刃のフロート方向においてスライド自在となっているために、第２の刃のフロート状態にかかわらず、ほぼ同じ振幅の往復動を第２の刃に行わせることができるものであり、また副駆動子は自由支持されているために、上記の動きの伝達に際して駆動負荷を大きくしてしまうことがないものである。
【００１３】
そして上記副駆動子として、第２の刃における固定側の刃もしくはこの刃が固定された基台との間で可動範囲が規制されたものを用いたり、副駆動子を初期位置復帰用の弾性体で付勢しておくならば、掃除などのために分解した時も組み立てが容易なものである。上記弾性体を、第２の刃における固定側の刃が固定された基台と副駆動子とを連結する可撓性部材で形成したり、第２の刃における固定側の刃が固定された基台に一体に形成したものとする時には、さらに上記組み立てが容易となるとともに、分解掃除の際のメンテナンス性が向上する。
【００１５】
【実施例】
以下本発明を図示の実施例に基づいて詳述すると、この電気かみそりは、多数の刃孔を有する網刃として形成されている外刃１と多数の内刃ブレード２１を内刃基台２０に植設することで形成してある内刃２とからなる主刃Ｍを第１の刃として備えるとともに、櫛歯状の固定刃３と可動刃４とからなるとともに主刃Ｍの両サイドに夫々配されている一対のトリマー刃Ｔ，Ｔを第２の刃として備えている。
【００１６】
ここにおける主刃Ｍの外刃１は、図６に示すように、内刃２の往復動方向Ｘと直交する方向Ｙに湾曲するだけでなく、内刃２の往復動方向Ｘにおいても湾曲しているもので、矩形枠状に形成された外刃枠１５に取り付けられている。この取り付けは、外刃枠１５の側面から突設した複数個の取付ボス１６を、外刃１の両側に設けた取付孔１０に挿入することで行われている。外刃枠１５の側面に設けられたボス１５１は後述するトリマー刃Ｔとの連動フロート用である。
【００１７】
外刃１が取り付けられた外刃枠１５は、図５に示す刃フレーム８に取り付けられる。上下に開口する矩形筒状となっている刃フレーム８は、その長手方向両端の内壁面に、係止突起８３と、この係止突起８３の下方に位置するストッパー８４とを備えており、長手方向両端から弾性片１８を突出させているとともに両端上面に平面部１７を有している外刃枠１５を刃フレーム８の下方側から押し込めば、図１２に示すように、外刃枠１５は弾性片１８の先端が刃フレーム８の内壁面に接することによってがたつきなく取り付けられる。なお、この外刃１はその平面部１７が係止突起８３下面に当接する位置と、弾性片１８の先端がストッパー８４に当接する位置との間で上下動が自在となっている。外刃枠１５の一端側の下縁から下方に突出する突起１５０は、刃フレーム８から外刃枠１５を取り外す際に指を掛けるためのものである。
【００１８】
一方、内刃２は、図６に示すように、多数の内刃ブレード２１が内刃基台２０の上面に平行並列に植設されたものとして形成されているのであるが、ここにおける内刃ブレード２１は、図１２から明らかなように、各先端の上端を結ぶ包絡線が外刃１の前記Ｘ方向における湾曲の曲率半径Ｒ１の円弧となるように研削されて外刃１内面に接する。図６中の２０１は内刃基台２０と一体の補強リブである。
【００１９】
この内刃２は、図１０に示す駆動子７によって往復駆動される。上下方向中程の部分が枢軸であるピン７０によって軸支されることで揺動自在とされている駆動子７は、モータ７６の出力軸７６ａに取り付けられたバランサー８０付の偏心軸７７が係合するカム溝７１を下端に備えており、モータ７６の回転に伴って、ピン７０を中心に揺動する。駆動子７の上端には連結駆動子９が上下動自在に、且つ圧縮コイルばね２５によって上方に向けて付勢された状態でフック７９により連結されている。内刃２はこの連結駆動子９に取り付けられるものであって、内刃基台２０に設けた球状の連結ボス２２を連結駆動子９の上端に開口する連結穴にはめ込むとともに、連結ボス２２の両側に突出する係合部２３，２３に連結駆動子９の上端に設けたフック７２を係合させることで、内刃２は連結駆動子９を介して駆動子７に連結されているとともに、内刃２は両係合部２３，２３を通る軸を中心に左右に傾動自在とされている。
【００２０】
以上のように構成された主刃Ｍにおける内刃２は、モータ７６を回転させた時、外刃１内面に添う円弧状の軌跡で往復動を行うとともに、外刃１を肌に押し当てた時には、外刃１と内刃２と連結駆動子９とが圧縮コイルばね２５に抗して図１３に示すように沈む。この時、内刃２の往復動をスムーズにするために、ここでは内刃２の駆動半径Ｄ１、つまりは駆動子７を支持しているピン７０から内刃２の中央部の刃先までの距離を、外刃１の半径Ｒ１より小さくしている。ピン７０から外刃１内面までの距離が、両端にいくほど大きくなるようにしているわけである。内刃２と外刃１との接触は、上記圧縮コイルばね２５による付勢で行われるのであるが、上記の寸法関係のために、内刃２はその往復動方向の両端にいくにつれて、上記圧縮コイルばね２５から受ける付勢力が小さくなり、外刃１につっかかるおそれが少なくなっている。また、上記フロート動作によって、ピン７０から外刃１や内刃２までの距離も少し変化することになるが、上記構成により、内刃２の外刃１に密着した状態でのスムーズな駆動が可能となっている。
【００２１】
さらに、ここでは駆動子７からの駆動力Ｆが連結駆動子９を介して内刃２に伝えられる時、内刃２と外刃１との接触範囲（図１２におけるＢに相当）中の、一端ａ側における内刃２が外刃１を押す抗力は、他端ｂ側に対して大となるが、この時の抗力の差は、内刃２の両端に位置する内刃ブレード２１間の距離Ｂと、上記駆動力Ｆが内刃２に伝えられる駆動点から端部に位置する内刃ブレード２１の先端までの高さＨとの比Ｈ／Ｂに比例する。つまり、圧縮コイルばね２５の押し上げ力をＰとする時、ａ側にかかる抗力はＰ／２＋ＨＦ／Ｂ、ｂ側にかかる抗力はＰ／２−ＨＦ／Ｂとなるために、ａｂ間の差は２ＨＦ／Ｂとなり、この値が大きくなると、外刃１に対して内刃２が浮き上がりやすくなるとともに、内刃２の両端における外刃１との密着度の差が大きくなる。
【００２２】
このために、ここでは上記Ｈ／Ｂの値が０．３以下となるように、連結ボス２２における駆動子７から駆動力を受ける点を、連結駆動子９に内刃２を取り付けている係合部２３より上方に位置させて上記Ｈの値を小さくしており、これによって外刃１からの内刃２の浮き上がりの防止と、外刃１と内刃２との密着度の確保とを行っているとともに、連結駆動子９を設けてこれを駆動子７に対して上下動自在とし、連結駆動子９に連結ボス２２を係合させて駆動力Ｆは連結駆動子９から内刃２に加わるようにしているために、内刃２と外刃１との密着がフロート中も確保することができ、常に良好な切れ味を保っているものである。なお、圧縮コイルばね２５は連結駆動子９を介さずに内刃２の連結ボス２２の下端を直接押し上げるものであってもよく、この場合においても同様の効果を得ることができる。
【００２３】
次に主刃Ｍの両側に配される一対のトリマー刃Ｔについて説明する。このトリマー刃Ｔは、図７及び図８に示すように、基台５と、基台５における湾曲面とされた上面に嵌合突起５７との嵌合で固定される固定刃３と、この固定刃３の上面側に配されるとともに嵌合突起５７によってスライドガイドされる可動刃４と、可動刃４を固定刃３側に押さえる押さえばね６５と、カバー６とからなるもので、押さえばね６５は、その垂直平板部６６がカバー６にばね止め突起６０との係合で取り付けられ、カバー６がフック６１によって基台５に取り付けられる時、垂直平板部６６がカバー６と基台５との間で挟持固定された状態で、複数個のばね片６７を可動刃４の上面に接触させるものとなっている。
【００２４】
また、上記基台５は、両側端に一対のフック５２を、内側よりに一対の垂下片５０，５０を、両垂下片５０，５０の下端に薄肉弾性片５３，５３でつながっている平板部５４を中央部下方に備えたもので、刃フレーム８における短手方向の内壁面に形成されている二対の係止部８１，８２に垂下片５０とフック５２とを差し込んで係合させることで、刃フレーム８に上下にスライド自在に取り付けられる。この時、フック５２によって刃フレーム８に対して基台５の上方への抜け止めがなされ、基台５における垂下片５０上端の壁と係止部８１上端との当接により、基台５の下方への抜け止めがなされる。また、基台５の両側端下部のばね受け突起５５，５５と、刃フレーム８内壁に設けられたばね受け突起８５，８５との間に夫々配される対のコイルばね２６，２６によって、トリマー刃Ｔは上方に付勢されることで、トリマー刃Ｔもフロート自在とされる。基台５の垂下片５０における刃フレーム８内面に対向する面に設けた小突起５ａ，５ａは、トリマー刃Ｔのフロート時の摺動抵抗を下げるためのものである。
【００２５】
また基台５の刃フレーム８内面に対向する面には、ボス５８とこのボス５８の下方に位置する凸部５ｄとを設けてある。ボス５８は刃フレーム８内面の上下方向の溝８０に入ることで、トリマー刃Ｔのフロート時の上下動のガイドとして機能するとともに、トリマー刃Ｔが往復動方向に傾く時の回転軸として機能し、同じく溝８０内に位置することになる凸部５ｄは上記傾き可能な角度を所定角度内に規制する。ボス５８はフロートを容易とするために、基台５の上端寄りに設けておくことが好ましい。
【００２６】
トリマー刃Ｔにおける可動刃４は、前記連結駆動子９の動きを可動刃４に伝えるトリマー駆動子１３によって往復駆動される。副駆動子であるこのトリマー駆動子１３は、その上端が基台５に設けられた長孔５９と固定刃３に設けられた長孔３ａとを通じて可動刃４の角孔４ａに連結されるもので、上下方向中央部の片面からは基台５に設けた窓５ｂに所定範囲内の移動が自在となる状態で係合するフック１３ｂが突設されており、他面には上下方向に長い係合溝１３ｃが設けられている。そして基台５における前記平板部５４に設けられたフック５４ａが係合孔１３ａに係止されることで、下部が平板部５４に固定される。
【００２７】
ここにおいて、基台５における平板部５４は、前述のように一対の薄肉弾性片５３，５３を介して基台５に一体に設けられたものであり、薄肉弾性片５４の撓み可能な範囲において自由に移動が可能となっていることから、トリマー駆動子１３もある程度任意方向に自由に移動できるものとなっている。ただし上端が可動刃４に連結されていることによる制限を受けているとともに、上記フック１３ｂと窓５ｂとで構成されるフック結合部としての係合部で下方への動きが制限されていることから、可動刃４との連結が外れてしまうことはない。
【００２８】
このように形成されたトリマー駆動子１３は、トリマー刃Ｔを刃フレーム８にセットした時、前記連結駆動子９の側面に設けられた縦リブ９ａが上記係合溝１３ｃに係合することで、連結駆動子９に対して係合溝１３ｃの長手方向である上下方向、つまりはトリマー刃Ｔのフロート方向においてスライド自在な状態で且つ往復動方向については拘束された状態で連結駆動子９に連結される。従って、駆動子７及び連結駆動子９が揺動（図２４中のＫ２）を行う時、トリマー駆動子１３も同方向に揺動（図２４中のＫ３）して、櫛歯状に形成されている固定刃３に対して、同じく櫛歯状に形成されている可動刃４を往復摺動させる。また、トリマー刃Ｔがフロートした時も、トリマー駆動子１３と連結駆動子９とは上下方向においてその相対位置を少し変えるものの、上記状態が保たれる。トリマー駆動子１３も前記ピン７０を中心に揺動するわけであり、このためにフロート時にも可動刃４の振幅変化が小さくなっているわけである。
【００２９】
また、固定刃３と可動刃４との摺動面近くにおいてトリマー駆動子１３と可動刃４とを連結していることから、固定刃３に対して可動刃４が浮いてしまうことがなく、両刃３，４を密着させた状態で可動刃４の駆動を行えるものであり、従って駆動負荷が小さくて切れ味が良く、さらに騒音が少なくなっているものである。
【００３０】
さらに、トリマー刃Ｔのフロートについても、一対のコイルばね２６，２６でトリマー刃Ｔの両側端付近を付勢しているために、往復動方向における傾きを許容したスムーズなフロートが可能となっている。なお、係合溝１３ｃと縦リブ９ａとにおける係合溝１３ｃの深さ方向の係合代はできるだけ大きくとるようにして、トリマー駆動子１３がねじれにくくなるようにしておくことが好ましく、上下方向の係合代も長くとることで、駆動時のがたつきによる騒音を小さくすることができる。
【００３１】
ここにおいて、トリマー刃Ｔは、主刃Ｍと協調した毛の切断、つまり長い毛はトリマー刃Ｔで受け持ち、トリマー刃Ｔで切断した後の短い毛を主刃Ｍでさらに短く切断するという動作をスムーズに行うことができるように、主刃Ｍにおける内刃２の往復動方向において、トリマー刃Ｔも湾曲させているのであるが、固定刃３及び可動刃４を摺動方向において湾曲させた時、全域において固定刃３に可動刃４を隙間なく密着させることが困難となるために、図９(a)に示すように、固定刃３の曲率半径よりも可動刃４の曲率半径より小さくしておいて、組み立てた時、つまり固定刃３に可動刃４が押し付けられるようにした時、可動刃４が固定刃３に密着するようにしてある。また、可動刃４の形成に際しては、図９(b)に示すように、固定刃３と同様にその断面において凸状の曲げ形状を有しているものとして形成して湾曲させた後、図９(c)に示すように、面一となるように下面を研削することで、可動刃４の往復動方向の剛性を小さくして、固定刃３との密着が確実になされるようにしている。さらに、可動刃４の刃先部分は、図９(c)に示すように、固定刃３側に向けて角度δの傾斜をつけているために、固定刃３に可動刃４を押し付ける時、刃先側から固定刃３に密着するものであり、良好な切れ味を得られるものとなっている。なお、固定刃３側はその断面において凸部形状を残すようにしているために、固定刃３と可動刃４との間の擦れ合いによる駆動負荷の増大はない。加えるに、トリマー刃Ｔの刃の密着を良くするために、前述の主刃Ｍの場合と同様の理由で、駆動半径Ｄ２をトリマー刃Ｔの曲率半径Ｒ２より小さくしている。
このように形成された上記電気かみそりにおいては、主刃Ｍと両サイドに位置する一対のトリマー刃Ｔ，Ｔとは、通常時、図１１に示すように、ほぼ同じ高さに並んでいるが、夫々が独立してフロート自在となっているために、肌の凹凸に応じて夫々が常に肌に密着して髭（毛）を剃る。つまり、肌の平坦な部分に押し当てた時には、図１４に示すように、夫々がほぼ同じだけフロートしつつ肌に密着した状態を保つために、肌当たり良く且つ効率良く除毛することができるものであり、肌の凹部に押し当てた時には、図１５に示すように、中央の主刃Ｍよりも両サイドのトリマー刃Ｔ，Ｔが沈んだ状態で夫々が肌に密着し、さらに肌の凸部に押し当てた時には、図１６に示すように、中央の主刃Ｍが両サイドのトリマー刃Ｔ，Ｔよりも沈んだ状態で夫々が肌に密着する。また、肌に直角に押し当てない時には、図１７に示すように、各フロート量が異なった状態で夫々が肌に密着する。従って、肌に押し当てた状態で、刃の往復動方向と直交する方向に電気かみそりを動かせば、一方のトリマー刃Ｔによる長い毛の粗剃りに続いて主刃Ｍによる毛を短く剃りあげることが常になされるものであり、非常に効率よく毛を剃ることができるものである。なお、通常時、両トリマー刃Ｔ，Ｔよりも主刃Ｍをわずかに上方に突出させて、肌に当てた時に主刃Ｍの肌との接触圧を高くすることで、毛を短く剃ることをより確実に行うことができる。
【００３２】
また、ここで示したものにおいては、トリマー刃Ｔが大きく沈んだ時、主刃Ｍもこれに同調して沈むようにしてある。つまり、図１８に示すように、外刃枠１５の側面に設けた前記ボス１５１を、トリマー刃Ｔの基台５の上端が閉塞された上下方向の溝５ｃ内に位置させており、トリマー刃Ｔが沈んで図１９に示すようにボス１５１が溝５ｃの上端壁に当接した状態から更にトリマー刃Ｔが沈んだならば、図２０に示すように、主刃Ｍも引き下げられて沈むようにしてある。この時、フロート荷重が大きく変化するために、肌への押し付け感が良く、また肌当たりも良いものとなっている。
【００３３】
更に、主刃Ｍは前述のように連結ボス２２を中心に傾くことが可能となっているために、図２１に示すように肌への追従性が良いものであり、この時、トリマー刃Ｔも図２２に示すように同様の傾きが自在となっているために、肌面との間に隙間が生じにくく、往復動方向のほぼ全長において肌面に密着するために、剃り残しのない除毛を行うことができる。なお、基台５の両側端をコイルばね２６，２６で夫々付勢している上に、前述のように基台５に設けた凸部５ｄが傾き可能な角度を所定角度内に規制していることから、トリマー刃Ｔが傾いた状態においてもフロートはスムーズに行われる。
【００３４】
トリマー刃Ｔの刃先から前方の一定位置に向けて基台５から一体に突設された肌当てガイド５ｅは、上記刃先と同様に湾曲して配置されているとともに、カバー６と固定刃３及び可動刃４の刃先とをつなぐ線上に上端を位置させており、このために、トリマー刃Ｔを肌に押し当てた時に上記刃先による刺激がなく、心地良い除毛を行うことができる。また肌当てガイド５ｅの先端は起毛突起５ｆとなっていることから、寝ている毛もトリマー刃Ｔへと導いて剃り残しのない除毛を可能としている。起毛突起５ｆのピッチは小さすぎると肌当たりは良いものの、長毛をカットする時にトリマー刃Ｔへの導入が悪くなり、大きすぎると長毛の導入は良くなるものの肌当たりが悪くなるために、３〜５ｍｍのピッチとしておくことが望ましい。肌当てガイド５ｅと固定刃３との間に設けた凹部５ｇは、毛屑の排出性を良くすることで毛屑の掃除を容易とするとともに、毛屑の詰まりによる切れ味の低下を防止している。
【００３５】
ところで、肌の深い凹部に追従するためには、トリマー刃Ｔ，Ｔのフロート量を大きくすることに加えて、全体の幅（図１５中のＷ）及びトリマー刃Ｔの幅を小さくしておく必要があるが、トリマー刃Ｔと主刃Ｍとの連動フロート用のボス１５１、トリマー駆動子１３と連結駆動子９との係合部、コイルばね２６等を可動刃４の往復動方向に並設しているのは、トリマー刃Ｔの幅を小さくするためであり、またねじれが発生しにくいようにするためである。
【００３６】
更に、トリマー駆動子１３と連結駆動子９との連結を解除している状態では、図２３に示すように、トリマー駆動子１３の平行移動Ｋ０が可能となっているとともに、可動刃４との連結点を支点とする揺動Ｋ１が可能となっており、そしてこの揺動については、対の薄肉弾性片５３，５３によって中央位置にくるように付勢されているために、特にトリマー駆動子１３の下部を付勢することで薄肉弾性片５３の力がトリマー駆動子１３にかかりやすくなるようにしているために、トリマー駆動子１３の連結駆動子９に対する着脱性は良好である。なお、このトリマー刃Ｔにおいては、トリマー駆動子１３を平行移動させた時も、可動刃４は固定刃３に沿った円弧を描く往復動を行う。
【００３７】
なお、本実施例においては、第１の刃がネット状の主刃Ｍ、第２の刃がトリマー刃Ｔであるものを示したが、これは逆であってもよく、またスリット刃と称されるタイプの刃であってもよい。
【００３８】
【発明の効果】
以上のように本発明においては、駆動子の動きと同じ動きを行う副駆動子によって第２の刃の可動側の刃を駆動するために、そして副駆動子と駆動子とが第２の刃のフロート方向においてスライド自在となっているために、第２の刃のフロート状態にかかわらず、ほぼ同じ振幅の往復動を第２の刃に行わせることができるものであり、また副駆動子は上記の動きの伝達に際して駆動負荷を大きくしてしまうことがなく、従ってフロートに伴う刃の振幅変化が殆どない上にスムーズな駆動が可能となっている。このために、第１の刃と第２の刃とが往復動方向において湾曲しているものであっても何ら問題のない駆動を行うことができる。
【００３９】
そして上記副駆動子として、第２の刃における固定側の刃もしくはこの刃が固定された基台との間で可動範囲が規制されたものを用いたり、副駆動子を初期位置復帰用の弾性体で付勢しておくことで、掃除などのために分解した時も組立性を良好な状態に保つことができるものであり、上記弾性体を、第２の刃における固定側の刃が固定された基台と副駆動子とを連結する可撓性部材で形成したり、第２の刃における固定側の刃が固定された基台に一体に形成したものとする時には、さらに上記組み立てが容易となるとともに、分解掃除の際のメンテナンス性が向上するものとなる。
【図面の簡単な説明】
【図１】一実施例のトリマー刃を示す縦断面図である。
【図２】同上の斜視図である。
【図３】同上の正面図である。
【図４】同上の平面図である。
【図５】同上の刃フレームの破断斜視図である。
【図６】同上の主刃の分解斜視図である。
【図７】同上のトリマー刃の分解斜視図である。
【図８】同上のトリマー刃の分解斜視図である。
【図９】同上のトリマー刃を示すもので、(a)は固定刃と可動刃の曲率半径を示す正面図、(b)は可動刃の研削工程前の状態における断面図、(c)は研削工程後の状態における断面図である。
【図１０】同上のモータと駆動子と連結駆動子とを示す分解斜視図である。
【図１１】同上の横断面図である。
【図１２】同上の主刃を示す縦断面図である。
【図１３】同上の主刃のフロート状態を示す縦断面図である。
【図１４】同上のフロート状態を示す横断面図である。
【図１５】同上の他のフロート状態を示す横断面図である。
【図１６】同上の更に他のフロート状態を示す横断面図である。
【図１７】同上の別のフロート状態を示す横断面図である。
【図１８】同上の連動フロート構造を示す横断面図である。
【図１９】同上の連動フロート構造を示す横断面図である。
【図２０】同上の連動フロート構造を示す横断面図である。
【図２１】同上の主刃の他の動作状態を示す縦断面図である。
【図２２】同上のトリマー刃の他の動作状態を示す縦断面図である。
【図２３】同上のトリマー駆動子の動きを示す正面図である。
【図２４】同上のトリマー駆動子の他の動きを示す正面図である。
【符号の説明】
Ｍ  主刃
Ｔ  トリマー刃
７  駆動子
１３  トリマー駆動子
【図１】
0003637616.tif 000002
【図２】
0003637616.tif 000003
【図３】
0003637616.tif 000004
【図４】
0003637616.tif 000005
【図５】
0003637616.tif 000006
【図６】
0003637616.tif 000007
【図７】
0003637616.tif 000008
【図８】
0003637616.tif 000009
【図９】
0003637616.tif 000010
【図１０】
0003637616.tif 000011
【図１１】
0003637616.tif 000012
【図１２】
0003637616.tif 000013
【図１３】
0003637616.tif 000014
【図１４】
0003637616.tif 000015
【図１５】
0003637616.tif 000016
【図１６】
0003637616.tif 000017
【図１７】
0003637616.tif 000018
【図１８】
0003637616.tif 000019
【図１９】
0003637616.tif 000020
【図２０】
0003637616.tif 000021
【図２１】
0003637616.tif 000022
【図２２】
0003637616.tif 000023
【図２３】
0003637616.tif 000024
【図２４】
0003637616.tif 000025